(57)【要約】【課題】縮んだ生地を十分に伸ばすことができ、仕上げ作業の品質の向上が図れる。【解決手段】カフス部用アイロン台３は、上面が凸曲面よりなる中央部アイロン圧着板４Ａと、中央部アイロン圧着板４Ａの両側に外側が下方に傾斜するように配設された左部アイロン圧着板４Ｂ及び右部アイロン圧着板４Ｃとを有し、中央部アイロン圧着板４Ａ、左部アイロン圧着板４Ｂ及び右部アイロン圧着板４Ｃの上面を覆うように弾性部材５０を設け、中央部アイロン圧着板４Ａ、左部アイロン圧着板４Ｂ及び右部アイロン圧着板４Ｃは、それぞれ単独に上下動可能で、かつそれぞれ圧縮ばね１２、２９、３０により上方に付勢されると共に、左部アイロン圧着板４Ｂ及び右部アイロン圧着板４Ｃは、それぞれ支軸２２を中心として回転可能で、かつ下端側に対応した弾性部材５０の部分がまず上プレス鏝１に当接するように下端側が開く方向にばね４２、４３で付勢されている。【選択図】      図１
2005052465.tif 000002
【特許請求の範囲】
【請求項１】
ワイシャツのカフス部等をアイロン台と上プレス鏝との間で圧着してプレス仕上げするワイシャツプレス機において、前記アイロン台は、上面が凸曲面よりなる中央部アイロン圧着板と、この中央部アイロン圧着板の両側に外側が下方に傾斜するように配設された左部アイロン圧着板及び右部アイロン圧着板とを有し、前記中央部アイロン圧着板、左部アイロン圧着板及び右部アイロン圧着板の上面を覆うように弾性部材を設け、前記中央部アイロン圧着板、左部アイロン圧着板及び右部アイロン圧着板は、それぞれ単独に上下動可能で、かつそれぞればねにより上方に付勢されると共に、左部アイロン圧着板及び右部アイロン圧着板は、それぞれ回転可能で、かつ下端側に対応した前記弾性部材の部分がまず上プレス鏝に当接するように下端側が開く方向にばねで付勢されていることを特徴とするワイシャツプレス機。
【発明の詳細な説明】
【技術分野】
【０００１】
本発明は、ワイシャツのカフス部等をプレス仕上げするワイシャツプレス機に関する。
【背景技術】
【０００２】
ワイシャツのカフス部等をプレス仕上げするワイシャツプレス機は、アイロン台と上プレス鏝を備え、両者間でカフス部等を圧着してプレス仕上げを行っている。カフス部等は洗濯により縮むので、プレス仕上げ時には縮んだ生地を伸ばす必要がある。この縮んだ生地を伸ばす機構を備えたワイシャツプレス機として、例えば特許文献１及び２が挙げられる。
【０００３】
【特許文献１】特開２００２−１１２９７号公報
【特許文献２】特開２００３−１６４６９８号公報の請求項８参照
【０００４】
特許文献１は次のような構成となっている。アイロン台の両端部近傍にそれぞれ伸張手段を設けている。この伸張手段は、生地（カフス部等）の端を挟むための挟み手段と、この挟み手段を生地が伸張する斜め下方に移動させる引っ張り手段とで構成されている。このように、生地の両端部近傍を伸張手段の挟み手段で挟むので、アイロン台の両端部には、挟み手段と干渉しないように、揺動エアシリンダで駆動されるプレス板が揺動可能に設けられている。
【０００５】
特許文献２のカフス部のプレス機構部は次のような構成となっている。ワイシャツのカフス部が載置される山形状の下鏝と、この下鏝に載置されるカフス部を押圧してプレス仕上げするための上鏝とを備え、前記下鏝が、上下に分割されて上側の固定部と下側の可動部とで形成され、上側の固定部は、下側の可動部を貫いて起立状に設けられている支持体の上部に固定され、下側の可動部は、カフス部のボタンの位置とボタン孔の位置が両側の傾斜面にあてがわれる状態に低く形成され、この下側の可動部の両側の傾斜面が、上側の固定部の両側の傾斜面より外側に僅かにはみ出され、下側の可動部が、その両側の傾斜面を押圧する上鏝で押し下げ自在に形成されている。
【発明の開示】
【発明が解決しようとする課題】
【０００６】
特許文献１は、縮んだ生地を伸ばすのに、挟み手段及び引っ張り手段で構成された伸張手段と、アイロン台の両端部に設けられて駆動手段で駆動されるプレス板とを備えている。このように多くの駆動源を必要とするので、構造が複雑で高価となる。またプレス仕上げは次のように多くの工程によって行う必要がある。生地の両端部を挟み手段にセットして挟み手段の駆動源を駆動させて挟み手段で生地をチャックさせる。次に引っ張り手段の駆動源を駆動させて生地を引っ張った後に上鏝で生地をアイロン台に軽く当てる。続いて前記挟み手段の駆動源をオフにさせて生地を開放した後、プレス板の駆動源を作動させてプレス板を生地の両端部に押し付ける。その後に上鏝をアイロン台に強く押し付けてプレス仕上げする。このように、多くの工程を必要とするので生産性が悪い。
【０００７】
特許文献２は、下鏝が上側の固定部と下側の可動部とで形成された単純な構造よりなるので、特許文献１のような問題点は解消される。しかし、縮んだ生地の伸ばしは、単に下側の可動部が上鏝で押し下げられる動作のみで行われるので、生地を十分に伸ばすことができないという問題があった。
【０００８】
本発明の課題は、縮んだ生地を十分に伸ばすことができ、仕上げ作業の品質の向上が図れるワイシャツプレス機を提供することにある。
【課題を解決するための手段】
【０００９】
上記課題を解決するための本発明の請求項１は、ワイシャツのカフス部等をアイロン台と上プレス鏝との間で圧着してプレス仕上げするワイシャツプレス機において、前記アイロン台は、上面が凸曲面よりなる中央部アイロン圧着板と、この中央部アイロン圧着板の両側に外側が下方に傾斜するように配設された左部アイロン圧着板及び右部アイロン圧着板とを有し、前記中央部アイロン圧着板、左部アイロン圧着板及び右部アイロン圧着板の上面を覆うように弾性部材を設け、前記中央部アイロン圧着板、左部アイロン圧着板及び右部アイロン圧着板は、それぞれ単独に上下動可能で、かつそれぞればねにより上方に付勢されると共に、左部アイロン圧着板及び右部アイロン圧着板は、それぞれ回転可能で、かつ下端側に対応した前記弾性部材の部分がまず上プレス鏝に当接するように下端側が開く方向にばねで付勢されていることを特徴とする。
【発明の効果】
【００１０】
カフス部の両側部分は、左部及び右部アイロン圧着板と共に下方に押し下げられ、かつ左部及び右部アイロン圧着板の上側が外側に回転することにより更に下方に押し下げられるので、洗濯により縮んだワイシャツのカフス部を十分に伸ばして本来の寸法に復元させる。
【発明を実施するための最良の形態】
【００１１】
本発明の一実施の形態を図１乃至図６により説明する。上プレス鏝１は、下面に凹状曲面が形成されている。この上プレス鏝１の下方には、中空部２ａが形成された箱型のアイロン台受２が配設されており、アイロン台受２には、カフス部用アイロン台３が取付けられている。カフス部用アイロン台３は、上面が凸状曲面よりなる中央部アイロン圧着板４Ａと、この中央部アイロン圧着板４Ａの両側に傾斜して配設された左部アイロン圧着板４Ｂ及び右部アイロン圧着板４Ｃとを有している。
【００１２】
中央部アイロン圧着板４Ａの下面には左部及び右部アイロン圧着板４Ｂ、４Ｃ側が開放した支持枠１０が固定されており、支持枠１０の下面には、中央部アイロン圧着板４Ａと支持枠１０とで形成する空間部に連通する内側筒体１１が固定されている。支持枠１０とアイロン台受２には圧縮ばね１２が配設され、中央部アイロン圧着板４Ａは圧縮ばね１２によって上方に付勢されている。支持枠１０の下面には内側筒体１１の外側に外側筒体１３が固定され、この外側筒体１３に対応してアイロン台受２の上面に筒体１４が固定されている。そして、外側筒体１３と筒体１４には可撓性のホース１５が接続されている。
【００１３】
左部アイロン圧着板４Ｂと右部アイロン圧着板４Ｃ及びそれらの支持構造は同じで、左右対称に配設されている。左部及び右部アイロン圧着板４Ｂ、４Ｃの下面には、それぞれ２個の支持板２０、２１が固定されており、支持板２０、２１には支軸２２が回転自在に支承されている。支軸２２の両端部には、支持枠２３が固定されており、支持枠２３には、下方に伸びた２個一対のガイド軸２４、２５が固定されている。一方、アイロン台受２の下面には固定板２６が固定されており、固定板２６の上面には前記２個一対で２組のガイド軸２４、２５と２４、２５に対応して４個の筒状のガイド２７が固定されている。ガイド軸２４、２５はガイド２７に上下動可能に挿入されており、ガイド軸２４、２５の下端部にはナット２８が螺合されている。ガイド軸２４、２５には支持枠２３とガイド２７間に圧縮ばね２９、３０が配設され、左部及び右部アイロン圧着板４Ｂ、４Ｃは圧縮ばね２９、３０によって上方に付勢されている。
【００１４】
支持枠２３には、支持板２０、２１が当接するストッパー４０、４１が固定されており、左部及び右部アイロン圧着板４Ｂ、４Ｃの支持板２０と２０及び２１と２１に掛けられた引っ張りばね４２、４３により、支持板２０、２１はストッパー４０、４１に圧接している。即ち、左部及び右部アイロン圧着板４Ｂ、４Ｃの下端が外側に開くように引っ張りばね４２、４３で付勢されている。支持枠２３、２３及び１０の左右位置を保持させるために、ストッパー４０、４１にはそれぞれレバー４４、４５の一端部が回転自在に支承され、レバー４４、４５の他端部は、中央部アイロン圧着板４Ａに固定された支持ピン４６に回転自在に支承されている。
【００１５】
中央部アイロン圧着板４Ａ、左部アイロン圧着板４Ｂ及び右部アイロン圧着板４Ｃ上には、通気性を有するマット及びパッドが積層された弾性部材５０が配設されている。
【００１６】
次に作用について説明する。作動前は、図１に示すように、左部及び右部アイロン圧着板４Ｂ、４Ｃの上端は中央部アイロン圧着板４Ａの下端の延長線上にあり、また左部及び右部アイロン圧着板４Ｂ、４Ｃの下端は開き、上プレス鏝１の対応する傾斜部分より小さい傾斜状態にある。そこで、図１に示すように、カフス部用アイロン台３の弾性部材５０上にワイシャツのカフス部Ｙをセットする。その後、上プレス鏝１が下降する。これにより、まず、図７に示すように、上プレス鏝１の下方の両端部側が左部及び右部アイロン圧着板４Ｂ、４Ｃの下方側のカフス部Ｙに当接する。更に上プレス鏝１が下降すると、図８及び図９に示すように、左部及び右部アイロン圧着板４Ｂ、４Ｃは上プレス鏝１によって圧縮ばね２９、３０の付勢力に抗して押し下げられると共に、支軸２２を中心として左部及び右部アイロン圧着板４Ｂ、４Ｃの上側が外側に回転する。そして、中央部アイロン圧着板４Ａ、左部アイロン圧着板４Ｂ及び右部アイロン圧着板４Ｃに対応したカフス部Ｙ部分が上プレス鏝１に強く圧着する。
【００１７】
このように、カフス部Ｙの両側部分は、左部及び右部アイロン圧着板４Ｂ、４Ｃと共に下方に押し下げられ、かつ左部及び右部アイロン圧着板４Ｂ、４Ｃの上側が外側に回転することにより更に下方に押し下げられるので、洗濯により縮んだワイシャツのカフス部Ｙを十分に伸ばして本来の寸法に復元させる。
【００１８】
なお、上記実施の形態は、ワイシャツのカフス部Ｙの仕上げに適用した場合について説明したが、本実施の形態は、ワイシャツのカラー部の仕上げにも適用できることは言うまでもない。また上プレス鏝１を下降させたが、カフス部用アイロン台３を上昇させてもよい。
【図面の簡単な説明】
【００１９】
【図１】本発明のワイシャツプレス機の一実施の形態を示す正面図である。
【図２】図１のカフス部用アイロン台上の弾性部材を取り除いた状態におけるＡ−Ａ線断面図である。
【図３】図２の側面図である。
【図４】図２のＢ−Ｂ線断面図である。
【図５】図２のＣ−Ｃ線断面図である。
【図６】図２の中央部アイロン圧着板部分を取り除いた状態における図５と同様のＣ−Ｃ線断面図である。
【図７】第１の動作図である。
【図８】第２の動作図である。
【図９】第３の動作図である。
【符号の説明】
【００２０】
Ｙ    カフス部
１    上プレス鏝
２    アイロン台受
３    カフス部用アイロン台
４Ａ    中央部アイロン圧着板
４Ｂ    左部アイロン圧着板
４Ｃ    右部アイロン圧着板
１０    支持枠
１２    圧縮ばね
２０、２１    支持板
２２    支軸
２３    支持枠
２４、２５    ガイド軸
２７    ガイド
２９、３０    圧縮ばね
４０、４１    ストッパー
４２、４３    引っ張りばね
５０    弾性部材
【図１】
2005052465.tif 000003
【図２】
2005052465.tif 000004
【図３】
2005052465.tif 000005
【図４】
2005052465.tif 000006
【図５】
2005052465.tif 000007
【図６】
2005052465.tif 000008
【図７】
2005052465.tif 000009
【図８】
2005052465.tif 000010
【図９】
2005052465.tif 000011